(57)【要約】【課題】  無駄な空間となっている上部プーリと下部プーリとの間の空間に上下方向に延びるダクトを配置することにより、揚上搬送機能と排塵などの機能を併せ持ったバケット昇降機を提供する。【解決手段】  バケット昇降機１は、搬送ケース９の上下端部にそれぞれ設けた上部プーリおよび下部プーリ間に、多数のバケットを取り付けた搬送ベルトを懸架してなるものである。上部プーリと下部プーリとの間の空間に上下方向に延びるダクト１５を配置してある。搬送ケース９は、上部プーリを備えた上部ケース１２と、下部プーリを備えた下部ケース１３と、これら上部ケース１２と下部ケース１３との間の中間ケース１４により構成されている。ダクト１５は中間ケース１４の内部を、上昇搬送側と下降戻り側とに仕切ってそれらの間に形成してある。【選択図】図１
2006335491.tif 000002
【特許請求の範囲】
【請求項１】
搬送ケースの上下端部にそれぞれ設けた上部プーリおよび下部プーリ間に、多数のバケットを取り付けた搬送ベルトを懸架してなるバケット昇降機において、
上部プーリと下部プーリとの間の空間に上下方向に延びるダクトを配置してあることを特徴とするバケット昇降機。
【請求項２】
上部プーリと下部プーリとの間の空間に配置したダクトは、バケットによる上昇搬送側およびバケットの下降戻り側をともに覆う搬送ケースの内部を、上昇搬送側と下降戻り側とに仕切ってそれらの間に形成してあることを特徴とする請求項１記載のバケット昇降機。
【請求項３】
上部プーリと下部プーリとの間の空間に配置したダクトは、搬送ケースとは別体のダクトを配設して形成されていることを特徴とする請求項１記載のバケット昇降機。
【請求項４】
搬送ケースは、上部プーリを備えた上部ケースと、下部プーリを備えた下部ケースと、これら上部ケースと下部ケースとの間の中間ケースにより構成され、ダクトは中間ケースの内部を、上昇搬送側と下降戻り側とに仕切ってそれらの間に形成してあることを特徴とする請求項２記載のバケット昇降機。
【請求項５】
中間ケースは、上昇搬送側ケースと下降戻側りケースとが別体構成であり、これら上昇搬送側ケースと下降戻側りケースとの対向空間を閉じてダクトを形成したことを特徴とする請求項４記載のバケット昇降機。
【請求項６】
バケット昇降機は穀物乾燥施設に装備されるものであって、ダクトは穀物乾燥施設の排塵用であることを特徴とする請求項１ないし５のいずれかに記載のバケット昇降機。
【発明の詳細な説明】
【技術分野】
【０００１】
本発明は、穀類などの揚上搬送用であって、それ自体に排塵用などのダクトを備えたバケット昇降機に関するものである。
【背景技術】
【０００２】
穀物乾燥などの穀物調製施設や穀物調製装置には、穀物などの揚送搬送用としてバケット昇降機が広く用いられており、また、穀物調製施設や穀物調製装置内で発生する塵埃の排出のため排塵ダクトがバケット昇降機と併設されることも一般的である。
【０００３】
従来、この種のバケット昇降機は種々のものがあるが、バケット昇降機の搬送ケース内をバケット上昇側とバケット下降側とに仕切って、バケット下降側を除塵通路としたものは特開平１０−５６０６号公報に、また、搬送ケースの下部ケース内を除塵するものは特開２００４−３５２４７２公報にそれぞれ記載されている。なお、搬送ケース内の上昇搬送側と下降戻り側との間に中空状の骨格が設けられているバケット昇降機は特開２０００−１８９８２０公報に記載されている。
【特許文献１】特開平１０−５６０６号公報
【特許文献２】特開２００４−３５２４７２公報
【特許文献３】特開２０００−１８９８２０公報
【発明の開示】
【発明が解決しようとする課題】
【０００４】
バケット昇降機は、その搬送ケースの上下端部にそれぞれ設けた上部プーリおよび下部プーリ間に、多数のバケットを取り付けた搬送ベルトを懸架してなるものであるが、上部プーリと下部プーリとの間には上下方向に細長の利用されない空間が生じている。
【０００５】
そこで本発明は、バケット昇降機において無駄な空間となっている上部プーリと下部プーリとの間の空間に上下方向に延びるダクトを配置することにより、揚上搬送機能と排塵などの機能を併せ持ったバケット昇降機を提供することを目的とするものである。
【課題を解決するための手段】
【０００６】
上記目的を達成するため本発明は請求項１ないし６に係るバケット昇降機を提案する。すなわち、請求項１に係るバケット昇降機は、搬送ケースの上下端部にそれぞれ設けた上部プーリおよび下部プーリ間に、多数のバケットを取り付けた搬送ベルトを懸架してなるバケット昇降機において、上部プーリと下部プーリとの間の空間に上下方向に延びるダクトを配置してあることを特徴とするものである。
【０００７】
請求項２に係るバケット昇降機は、請求項１の構成において、上部プーリと下部プーリとの間の空間に配置したダクトは、バケットによる上昇搬送側およびバケットの下降戻り側をともに覆う搬送ケースの内部を、上昇搬送側と下降戻り側とに仕切ってそれらの間に形成してあることを特徴とするものである。
【０００８】
請求項３に係るバケット昇降機は、請求項１の構成において、上部プーリと下部プーリとの間の空間に配置したダクトは、搬送ケースとは別体のダクトを配設して形成されていることを特徴とするものである。
【０００９】
請求項４に係るバケット昇降機は、請求項２の構成において、搬送ケースは、上部プーリを備えた上部ケースと、下部プーリを備えた下部ケースと、これら上部ケースと下部ケースとの間の中間ケースにより構成され、ダクトは中間ケースの内部を、上昇搬送側と下降戻り側とに仕切ってそれらの間に形成してあることを特徴とするものである。
【００１０】
請求項５に係るバケット昇降機は、請求項４の構成において、中間ケースは、上昇搬送側ケースと下降戻側りケースとが別体構成であり、これら上昇搬送側ケースと下降戻側りケースとの対向空間を閉じてダクトを形成したことを特徴とするものである。
【００１１】
請求項６に係るバケット昇降機は、請求項１ないし５のいずれかの構成において、バケット昇降機は穀物乾燥施設に装備されるものであって、ダクトは穀物乾燥施設の排塵用であることを特徴とするものである。
【発明の効果】
【００１２】
本発明によれば、バケット昇降機において無駄な空間となっている上部プーリと下部プーリとの間の空間に上下方向に延びるダクトを配置することにより、揚上搬送機能と排塵などの機能を併せ持ったバケット昇降機を提供することができ、バケット昇降機を備えることにより穀物調製施設や穀物調製装置などの構成の簡素化と機能の向上を図ることができる。
【発明を実施するための最良の形態】
【００１３】
図１は本発明に係るバケット昇降機を穀物乾燥施設に備えた態様を示す斜視図、図２は本発明に係るバケットの昇降機の一部を示す斜視図、図３は本発明の他例を示すバケット昇降機の一部を示す断面図、図４は同上斜視図である。
【００１４】
図１において、１はバケット昇降機であり、バケット昇降機１は、穀物乾燥施設２に備えられている。３は昇降機ピット、４は荷受ピット、５は荷受ホッパ、６は床面である。荷受ホッパ５とバケット昇降機１の張込ホッパ７間はコンベア８により連絡されている。
【００１５】
バケット昇降機１は、搬送ケース９の上下端部にそれぞれ設けた上部プーリと下部プーリ間に、図３に示すように、多数のバケット１０を取り付けた搬送ベルト１１を懸架してなるものであり、上部プーリを備えた上部ケース１２と、下部プーリを備えた下部ケース１３と、これら上部ケース１２と下部ケース１３との間の中間ケース１４により構成されている。中間ケース１４は複数のケース部材を接続して所要の長さに構成したものである。
【００１６】
１５はダクトである。このダクト１５は、図２に示すように、バケット１０による上昇搬送側１６およびバケット１０の下降戻り側１７をともに覆う搬送ケース９の中間ケース１４の内部を、上昇搬送側１６と下降戻り側１７とに仕切板１８、１８で仕切ってそれらの間の上部プーリと下部プーリとの間の空間に上下方向に延びる通路を形成したものである。ダクト１５の上下端部には排塵ダクト１９、２０がそれぞれ接続されている。なお、図示しないが、上部プーリと下部プーリとの間の空間に配置したダクト１５は、搬送ケース９とは別体のダクトを配設して形成することもできる。
【００１７】
本発明に係るバケット昇降機１は、図３および図４に示すように、中間ケース１４は、上昇搬送側ケース２１と下降戻側りケース２２とを別体構成とし、これら上昇搬送側ケース２１と下降戻側りケース２２との対向空間を側面板２３、２４で閉じてダクト１５を形成したものとしてもよい。
【００１８】
本発明に係るバケット昇降機１によれば、バケット昇降機１において無駄な空間となっている上部プーリと下部プーリとの間の空間に上下方向に延びるダクト１５を配置しているので、バケット昇降機１は本来の揚上搬送機能と排塵などの機能を併せ持たせて、バケット昇降機１を備えることにより穀物調製施設や穀物調製装置などに排塵のためのダクトも備えることができ、穀物調製施設や穀物調製装置など構成の簡素化と機能の向上を図ることができる。
【図面の簡単な説明】
【００１９】
【図１】本発明に係るバケット昇降機を穀物乾燥施設に備えた態様を示す斜視図である。
【図２】本発明に係るバケットの昇降機の一部を示す斜視図である。
【図３】本発明の他例を示すバケット昇降機の一部を示す断面図である。
【図４】同上斜視図である。
【符号の説明】
【００２０】
１  バケット昇降機
２  穀物乾燥施設
３  昇降機ピット
４  荷受ピット
５  荷受ホッパ
６  床面
７  張込ホッパ
８  コンベア
９  搬送ケース
１０  バケット
１１  搬送ベルト
１２  上部ケース
１３  下部ケース
１４  中間ケース
１５  ダクト
１６  上昇搬送側
１７  下降戻り側
１８  仕切板
１９、２０  排塵ダクト
２１  上昇搬送側ケース
２２  下降戻側りケース
２３、２４  側面板
【図１】
2006335491.tif 000003
【図２】
2006335491.tif 000004
【図３】
2006335491.tif 000005
【図４】
2006335491.tif 000006